【手続補正書】
【提出日】平成15年7月2日(2003.7.2)
【手続補正１】
【補正対象書類名】明細書
【補正対象項目名】特許請求の範囲
【補正方法】変更
【補正の内容】
【特許請求の範囲】
【請求項１】
冷凍室（８）の後方側壁面に装着されて冷凍サイクルの蒸発器を通過しながら冷却された空気を強制循環させる送風ファン（２０）と、
前記冷凍室と冷蔵室とを区画する隔壁に穿孔形成されて、前記送風ファンから送風される冷気を冷蔵室に供給する冷気供給通路（２６）と、
前記冷気供給通路（２６）に連通されて冷気を冷蔵室の後方側に案内する後方側案内通路（２８）と、
前記冷気供給通路に連通されて冷気を冷蔵室の右側に案内する右側案内通路（３０）と、
前記冷気供給通路から前記右側案内通路と同様な直径を有して分岐されることで、冷気を冷蔵室の左側に案内する左側案内通路（３２）と、
前記各後方側案内通路、右側案内通路及び左側案内通路に夫々連通されて前記冷蔵室の下方側壁に延長形成された各後方側吐出ダクト（３４）、右側吐出ダクト（３６）及び左側吐出ダクト（３８）と、を包含して構成されることを特徴とする冷蔵庫の冷気供給装置。
【請求項２】
前記後方側案内通路（２８）は、前記隔壁の一方側に水平方向に切削形成されて、前記供給通路（２６）から供給される冷気量中、１／２に該当する冷気が該後方側案内通路（２８）に流入されることを特徴とする請求項１記載の冷蔵庫の冷気供給装置。
【請求項３】
前記右側案内通路（３０）は、前記隔壁（１２）の右側に屈曲延長切削されることで、前記供給通路（２６）から供給される冷気量中、１／４に該当する冷気が右側吐出ダクト（３６）に流入し、前記左側案内通路（３２）は前記隔壁（１２）の右側案内通路（３０）と所定角度を有して分岐されるように形成されて、前記供給通路から供給される冷気中残りの１／４の冷気が流入するように形成されることを特徴とする請求項１記載の冷蔵庫の冷気供給装置。
【請求項４】
冷気を冷凍室及び冷蔵室に強制的に送風する送風ファン（２０）と、
前記冷凍室と冷蔵室とを区画する隔壁（１２）に切削形成されて、前記送風ファン（２０）により送風される冷気を冷蔵室の内部に供給する冷気供給通路（２６）と、
前記隔壁に前記冷気供給通路（２６）に連通して切削形成されて、該冷気供給通路から供給される冷気を冷蔵室の後方側に案内して吐出させる後方側案内通路（２８）及び後方側吐出ダクト（３４）と、
前記隔壁に前記冷気供給通路（２６）に分岐して切削形成されて、該冷気供給通路から供給される冷気を冷蔵室の左側に案内して吐出させる左側案内通路（３２）及び左側吐出ダクト（３８）と、
前記隔壁に前記冷気供給通路（２６）に連通して切削形成されて、該冷気供給通路から供給される冷気を冷蔵室の右側に案内して吐出させる右側案内通路（３０）及び右側吐出ダクト（３６）と、
前記冷気供給通路（２６）に装着されて、冷蔵室ドアーの開閉時に、前記後方側案内通路（２８）を開閉させる制御手段と、を包含して構成されることを特徴とする冷蔵庫の冷気供給装置。
【請求項５】
前記制御手段は、前記後方側案内通路（２８）の一方側に揺動自在に装着されて後方側案内通路を開閉させる開閉バルブと、
前記冷蔵室の内部に装着されて冷蔵室ドアーの開閉状態を検出する感知手段（６２）と、
前記感知手段（６２）から印加される電気信号によって前記後方側案内通路を閉鎖するように開閉バルブを所定時間の間、作動させるコントロールユニット（６４）と、を包含して構成されることを特徴とする請求項４記載の冷蔵庫の冷気供給装置。
【請求項６】
前記開閉バルブは、前記後方側案内通路（２８）に揺動自在に装着されて、後方側案内通路の内径と同様な径を有する円板状のバルブ板（６６）と、該バルブ板のヒンジ軸に連結されて前記制御部の電気信号によってバルブ板を揺動させるステッピングモーター（６８）と、を包含して構成されることを特徴とする請求項５記載の冷蔵庫の冷気供給装置。
【請求項７】
前記感知手段（６２）は、前記冷蔵室のドアーが軸支される冷蔵庫の開放された側壁面に装着されて、ドアーの開放時にそれを感知して前記制御手段のコントロールユニット（６４）に伝達するスイッチ型に構成されることを特徴とする請求項５記載の冷蔵庫の冷気供給装置。
【請求項８】
前記コントロールユニット（６４）は、前記感知手段（６２）から電気信号が印加されると、前記開閉バルブの作動時間を所定時間の間、遅延させるタイマーが内蔵されることを特徴とする請求項５記載の冷蔵庫の冷気供給装置。
【請求項９】
冷凍サイクルを通過した冷気を冷蔵室及び冷凍室に強制的に循環させる送風ファンと、
前記冷凍室と冷蔵室とを区画する隔壁と、
前記隔壁に切削形成されて前記送風ファンにより送風される冷気を冷蔵室に供給する供給通路（２６）と、
前記供給通路（２６）に連通した後相互分岐するように隔壁に切削形成されて冷蔵室の左右両側に延長された左側案内通路（３２）及び右側案内通路（３０）と、
前記冷蔵室の何れか一部分に負荷が発生すると、前記後方、左右両方中該当の案内通路を選択的に開閉することで、負荷が発生した部分に集中的に冷気を吐出させる冷気制御手段と、を包含して構成されたことを特徴とする冷蔵庫の冷気供給装置。
【請求項１０】
前記冷気制御手段は、前記冷蔵室内部の各部位に装着されて温度を検出する感知手段と、前記後方側案内通路（２８）に装着されて該後方側案内通路を開閉させる第１バルブ（７０）と、前記右側及び左側案内通路が分岐される地点に設置されてそれら右側及び左側案内通路を選択的に開放する第２バルブ（７２）と、前記感知手段から印加される電気信号によって第１及び第２バルブを動作させるコントロールユニット（７４）と、を包含して構成されることを特徴とする請求項９記載の冷蔵庫の冷気供給装置。
【請求項１１】
前記感知手段は、前記冷蔵室の後方側に設置されて冷蔵室の後方側温度を検出する第１温度センサー（７６）と、冷蔵室の左側に装着されて該左側の温度を検出する第２温度センサー（７８）と、冷蔵室の右側に装着されて右側の温度を検出する第３温度センサー（８０）と、から構成されることを特徴とする請求項１０記載の冷蔵庫の冷気供給装置。
【請求項１２】
前記第１バルブ（７０）は、前記後方側案内通路（２８）の直径と同様な径を有する円板状に形成されて前記後方側案内通路（２８）に揺動自在に装着されるバルブ板（８２）と、該バルブ板のヒンジ軸に軸支されて該バルブ板を揺動させるステッピングモータ（８４）と、を包含して構成されることを特徴とする請求項１０記載の冷蔵庫の冷気供給装置。
【請求項１３】
前記第２バルブ（７２）は、前記右側案内通路（３０）から左側案内通路（３２）が分岐される地点に揺動自在に装着されて、それら左、右案内通路を全て開放、又は左側案内通路のみを開放、若しくは右側案内通路のみを開放してその他は閉鎖させるという三つの方向に動作されるバルブ板（９０）と、該バルブ板のヒンジ軸に軸支されたステッピングモーター（９２）と、を包含して構成されることを特徴とする請求項１０記載の冷蔵庫の冷気供給装置。
【請求項１４】
前記バルブ板（９０）は、円板状に形成されることを特徴とする請求項１２又は１３記載の冷蔵庫の冷気供給装置。
【請求項１５】
冷凍サイクルの蒸発器から発生する冷気を送風させる送風ファンと、
冷凍室と冷蔵室とを区画する隔壁に穿孔形成されて、前記送風ファンから送風される冷気を前記冷蔵室に供給する冷気供給通路と、
前記冷気供給通路から分岐されて、冷蔵室の後方壁から冷気が吐出されるように冷気を案内する後方側案内通路と、
前記後方案内通路と連結されて、前記冷蔵室の後方壁に垂直に配置される後方側吐出ダクトと、
前記冷気供給通路から分岐されて、前記冷蔵室の右側壁から冷気が吐出されるように冷気を案内する右側案内通路と、
前記右側案内通路と連結されて、前記冷蔵室の右側壁に垂直に配置される右側吐出ダクトと、
前記冷気供給通路から分岐されて、前記冷蔵室の左側壁から冷気が吐出されるように冷気を案内する左側案内通路と、
前記左側案内通路と連結されて、前記冷蔵室の左側壁に垂直に配置される左側吐出ダクトと、
それら案内通路及び吐出ダクト中、何れか一つに設置されて冷気量を調節するバルブ板と、を包含して構成されることを特徴とする冷蔵庫の冷気供給装置。
【手続補正２】
【補正対象書類名】明細書
【補正対象項目名】００１３
【補正方法】変更
【補正の内容】
【００１３】
又、このような目的を達成するため、本発明の請求項９〜１４記載の冷蔵庫の冷気供給装置においては、前記後方側案内通路に装着されて該後方側案内通路を開閉させる第１バルブと、右側及び左側案内通路が分岐される地点に装着されてそれら右側及び左側案内通路を選択的に開閉させる第２バルブと、後述する感知手段から印加される電気的信号によって前記第１バルブ及び第２バルブを動作させるコントロールユニットを備えて制御手段が構成され、前記感知手段として、冷蔵室の後方側の温度を感知する第１温度センサーと、冷蔵室のドアーの左側に装着された第２温度センサーと、冷蔵室の右側に装着された第３温度センサーとが備えられて構成されることを特徴とする。
又、このような目的を達成するため、本発明の請求項１５記載の冷蔵庫の冷気供給装置においては、冷凍サイクルの蒸発器から発生する冷気を送風させる送風ファンと、冷凍室と冷蔵室とを区画する隔壁に穿孔形成されて、前記送風ファンから送風される冷気を前記冷蔵室に供給する冷気供給通路と、前記冷気供給通路から分岐されて、冷蔵室の後方壁から冷気が吐出されるように冷気を案内する後方側案内通路と、前記後方案内通路と連結されて、前記冷蔵室の後方壁に垂直に配置される後方側吐出ダクトと、前記冷気供給通路から分岐されて、前記冷蔵室の右側壁から冷気が吐出されるように冷気を案内する右側案内通路と、前記右側案内通路と連結されて、前記冷蔵室の右側壁に垂直に配置される右側吐出ダクトと、前記冷気供給通路から分岐されて、前記冷蔵室の左側壁から冷気が吐出されるように冷気を案内する左側案内通路と、前記左側案内通路と連結されて、前記冷蔵室の左側壁に垂直に配置される左側吐出ダクトと、それら案内通路及び吐出ダクト中、何れか一つに設置されて冷気量を調節するバルブ板と、を包含して構成されることを特徴とする。